(57)【要約】【課題】セルの品質を精度良く検出することができる基地局装置などを提供する。【解決手段】他のセルの停波領域に関する情報の通知を受信し、当該受信された通知の情報に基づく情報および自己のセルに関する情報を、前記他のセルとは別のセルを形成する他の基地局装置に対して送信して通知するように制御する領域通知制御部を備える、基地局装置である。【選択図】図１
2015179962.tif 000002
【特許請求の範囲】
【請求項１】
他のセルの停波領域に関する情報の通知を受信し、当該受信された通知の情報に基づく情報および自己のセルに関する情報を、前記他のセルとは別のセルを形成する他の基地局装置に対して送信して通知するように制御する領域通知制御部を備える、
基地局装置。
【請求項２】
前記受信された通知の情報に基づく情報は、プロテクティド領域の情報を含む、
請求項１に記載の基地局装置。
【請求項３】
前記別のセルは、ネイバーリレーションテーブル（ＮＲＴ）に記憶されたセルである、
請求項１または請求項２に記載の基地局装置。
【請求項４】
自己のセルにおける停波領域で停波して通信を行うように制御する通信制御部と、
前記停波領域に関する情報および配下のセルに関する情報を、配下関係にない他のセルを形成する他の基地局装置に対して送信して通知するように制御する領域通知制御部と、
を備える基地局装置。
【請求項５】
前記他のセルは、ネイバーリレーションテーブル（ＮＲＴ）に記憶されたセルである、
請求項４に記載の基地局装置。
【請求項６】
配下関係にない他のセルを包含する別のセルの停波領域に関する情報および前記他のセルに関する情報を端末装置に対して無線により送信して通知するように制御する領域通知制御部を備える、
基地局装置。
【請求項７】
前記別のセルの停波領域に関する情報は、前記他のセルのプロテクティド領域に関する情報を含む、
請求項６に記載の基地局装置。
【請求項８】
通信の領域として、時間と周波数の一方または両方の領域が用いられる、
請求項１から請求項７のいずれか１項に記載の基地局装置。
【請求項９】
前記セルに関する情報は、前記セルを識別する情報を含む、
請求項１から請求項８のいずれか１項に記載の基地局装置。
【請求項１０】
配下関係にないセルのプロテクティド領域に関する情報および当該セルに関する情報の通知を受信するように制御する領域通知制御部と、
前記領域通知制御部により受信された通知の情報に基づいて、前記セルのプロテクティド領域において前記セルの品質を検出するように制御する品質検出制御部と、
を備える端末装置。
【請求項１１】
前記セルのプロテクティド領域は、前記セルを包含する別のセルの停波領域に対応する領域である、
請求項１０に記載の端末装置。
【請求項１２】
通信の領域として、時間と周波数の一方または両方の領域が用いられる、
請求項１０または請求項１１に記載の端末装置。
【請求項１３】
前記セルに関する情報は、前記セルを識別する情報を含む、
請求項１０から請求項１２のいずれか１項に記載の端末装置。
【請求項１４】
前記品質検出制御部は、前記検出された前記セルの品質に関する情報を、前記通知の情報の送信元の装置または他の装置に対して無線により送信して通知するように制御する、
請求項１０から請求項１３のいずれか１項に記載の端末装置。
【請求項１５】
第１の基地局装置が、前記第１の基地局装置のセルの停波領域に関する情報を、配下のセルを形成する第２の基地局装置に対して送信して通知し、
前記第２の基地局装置が、前記第１の基地局装置から受信された通知の情報に基づく情報および前記第２の基地局装置のセルに関する情報を第３の基地局装置に対して送信して通知し、
前記第３の基地局装置が、前記第２の基地局装置から受信された通知の情報に基づく情報を端末装置に対して無線により送信して通知し、
前記端末装置が、前記第３の基地局装置から受信された通知の情報に基づいて、前記第１の基地局装置のセルの停波領域に対応する領域において、前記第２の基地局装置のセルの品質を検出する、
通信システム。
【請求項１６】
第１の基地局装置が、前記第１の基地局装置のセルの停波領域に関する情報および配下の第２の基地局装置のセルに関する情報を、配下関係にない他のセルを形成する第３の基地局装置に対して送信して通知し、
前記第３の基地局装置が、前記第１の基地局装置から受信された通知の情報に基づく情報を端末装置に対して無線により送信して通知し、
前記端末装置が、前記第３の基地局装置から受信された通知の情報に基づいて、前記第１の基地局装置のセルの停波領域に対応する領域において、前記第２の基地局装置のセルの品質を検出する、
通信システム。
【請求項１７】
第１の基地局装置が、前記第１の基地局装置のセルの停波領域に関する情報を、配下のセルを形成する第２の基地局装置に対して送信して通知し、
前記第２の基地局装置が、前記第１の基地局装置から受信された通知の情報に基づく情報および前記第２の基地局装置のセルに関する情報を第３の基地局装置に対して送信して通知し、
前記第３の基地局装置が、前記第２の基地局装置から受信された通知の情報に基づく情報を端末装置に対して無線により送信して通知し、
前記端末装置が、前記第３の基地局装置から受信された通知の情報に基づいて、前記第１の基地局装置のセルの停波領域に対応する領域において、前記第２の基地局装置のセルの品質を検出する、
通信方法。
【請求項１８】
第１の基地局装置が、前記第１の基地局装置のセルの停波領域に関する情報および配下の第２の基地局装置のセルに関する情報を、配下関係にない他のセルを形成する第３の基地局装置に対して送信して通知し、
前記第３の基地局装置が、前記第１の基地局装置から受信された通知の情報に基づく情報を端末装置に対して無線により送信して通知し、
前記端末装置が、前記第３の基地局装置から受信された通知の情報に基づいて、前記第１の基地局装置のセルの停波領域に対応する領域において、前記第２の基地局装置のセルの品質を検出する、
通信方法。
【発明の詳細な説明】
【技術分野】
【０００１】
本発明は、基地局装置、端末装置、通信システムおよび通信方法に関する。
【背景技術】
【０００２】
ＬＴＥのシステムでは、周波数利用効率の向上とホットスポットエリアの解消を目的として、マクロセルのカバレッジ内に、比較的送信電力が小さいピコセルをオーバーレイ配置するヘテロジニアスネットワーク（ＨｅｔＮｅｔ：Ｈｅｔｅｒｏｇｅｎｅｏｕｓ  Ｎｅｔｗｏｒｋｓ）構成のネットワークについて検討されている（非特許文献１参照。）。
【０００３】
ピコセルがマクロセルと同一の周波数帯を用いて展開された場合、ピコセルの配下に存在する移動端末装置（ＵＥ：Ｕｓｅｒ  Ｅｑｕｉｐｍｅｎｔ）は、マクロセルから大きな干渉を受ける。
このような干渉を回避する技術である拡張セル間干渉回避（ｅＩＣＩＣ：Ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）技術は、マクロセルが所定の時間／周波数の領域について電力の送信を停波し、ピコセルの配下に存在するＵＥがその領域で通信を行うことで、マクロセルからの干渉を回避する技術である（非特許文献２参照。）。
【０００４】
マクロセルの基地局装置は、停波する領域（停波領域）を、Ｘ２回線等を通じて、ピコセルの基地局装置に通知する。ピコセルの基地局装置は、配下のＵＥに対して、マクロセルの停波領域を通知する。これにより、ピコセルの配下のＵＥは、マクロセルの干渉がない領域（停波領域であり、プロテクティド（Ｐｒｏｔｅｃｔｅｄ）領域と呼ぶ。）と、マクロセルの干渉がある領域（停波領域以外の領域であり、ノンプロテクティド（Ｎｏｎ−Ｐｒｏｔｅｃｔｅｄ）領域と呼ぶ。）とで区別して、電力品質を正確に測定（計測）することができる。
ここで、マクロセルが停波する領域は、一例として、ＴＤＭ（Ｔｉｍｅ  Ｄｉｖｉｓｉｏｎ  Ｍｕｌｔｉｐｌｅｘｉｎｇ）型のｅＩＣＩＣの場合には、ＡＢＳ（Ａｌｍｏｓｔ  Ｂｌａｎｋ  Ｓｕｂｆｒａｍｅ）のパターン（ｐａｔｔｅｒｎ）の領域となる。
【先行技術文献】
【非特許文献】
【０００５】
【非特許文献１】３ＧＰＰ  ＴＲ３６．８１４  ｖ９．０．０、“Ｆｕｒｔｈｅｒ  ａｄｖａｎｃｅｍｅｎｔｓ  ｆｏｒ  Ｅ−ＵＴＲＡ  ｐｈｙｓｉｃａｌ  ｌａｙｅｒ  ａｓｐｅｃｔｓ”、  ２０１０−０３．
【非特許文献２】Ｔ．ＡＢＥ、Ｙ．ＫＩＳＨＩＹＡＭＡ、Ｙ．ＫＡＫＵＲＡ、ａｎｄ  Ｄ．ＩＭＡＭＵＲＡ、“Ｒａｄｉｏ  Ｉｎｔｅｒｆａｃｅ  Ｔｅｃｈｎｏｌｏｇｉｅｓ  ｆｏｒ  Ｃｏｏｐｅｒａｔｉｖｅ  Ｔｒａｎｓｍｉｓｓｉｏｎ  ｉｎ  ３ＧＰＰ  ＬＴＥ−Ａｄｖａｎｃｅｄ”、ＩＥＩＣＥ  ＴＲＡＮＳ．ＣＯＭＭＵＮ．、ＶＯＬ．Ｅ９４−Ｂ、Ｎｏ．１２、ＤＥＣＥＭＢＥＲ  ２０１１
【発明の概要】
【発明が解決しようとする課題】
【０００６】
ピコセルのプロテクティド領域とノンプロテクティド領域は、当該ピコセルの配下のＵＥ（当該ピコセルに接続するＵＥ）のみに通知され、他のセル（例えば、隣接するセルなど）に接続するＵＥには通知されない。
このため、他のセルに接続するＵＥは、ｅＩＣＩＣが適用されたピコセルの電力品質を、プロテクティド領域とノンプロテクティド領域とで区別して測定することができず、すべての領域（全領域）を対象として電力品質を測定する。例えば、ピコセルについて、全領域の電力品質を平均した電力品質は、プロテクティド領域の電力品質よりも悪いため、他のセルに接続するＵＥは、当該ピコセルの電力品質を比較的悪く見積もってしまう。このような結果、例えば、ＵＥは、実際には電力品質が良いピコセルに対して、適切なタイミングでハンドオーバすることができない場合があった。
【０００７】
本発明は、このような事情を考慮してなされたもので、セルの品質を精度良く検出することができる基地局装置、端末装置、通信システムおよび通信方法を提供することを課題とする。
【課題を解決するための手段】
【０００８】
（１）上記の課題を解決するために、本発明の一態様に係る基地局装置は、他のセルの停波領域に関する情報の通知を受信し、当該受信された通知の情報に基づく情報および自己のセルに関する情報を、前記他のセルとは別のセルを形成する他の基地局装置に対して送信して通知するように制御する領域通知制御部を備える。
【０００９】
（２）本発明の一態様は、上記した（１）に記載の基地局装置において、前記受信された通知の情報に基づく情報は、プロテクティド領域の情報を含む、構成が用いられてもよい。
【００１０】
（３）本発明の一態様は、上記した（１）または上記した（２）に記載の基地局装置において、前記別のセルは、ネイバーリレーションテーブル（ＮＲＴ）に記憶されたセルである、構成が用いられてもよい。
【００１１】
（４）上記の課題を解決するために、本発明の一態様に係る基地局装置は、自己のセルにおける停波領域で停波して通信を行うように制御する通信制御部と、前記停波領域に関する情報および配下のセルに関する情報を、配下関係にない他のセルを形成する他の基地局装置に対して送信して通知するように制御する領域通知制御部と、を備える。
【００１２】
（５）本発明の一態様は、上記した（４）に記載の基地局装置において、前記他のセルは、ネイバーリレーションテーブル（ＮＲＴ）に記憶されたセルである、構成が用いられてもよい。
【００１３】
（６）上記の課題を解決するために、本発明の一態様に係る基地局装置は、配下関係にない他のセルを包含する別のセルの停波領域に関する情報および前記他のセルに関する情報を端末装置に対して無線により送信して通知するように制御する領域通知制御部を備える。
【００１４】
（７）本発明の一態様は、上記した（６）に記載の基地局装置において、前記別のセルの停波領域に関する情報は、前記他のセルのプロテクティド領域に関する情報を含む、構成が用いられてもよい。
【００１５】
（８）本発明の一態様は、上記した（１）から上記した（７）のいずれか１つに記載の基地局装置において、通信の領域として、時間と周波数の一方または両方の領域が用いられる、構成が用いられている。
【００１６】
（９）本発明の一態様は、上記した（１）から上記した（８）のいずれか１つに記載の基地局装置において、前記セルに関する情報は、前記セルを識別する情報を含む、構成が用いられてもよい。
【００１７】
（１０）上記の課題を解決するために、本発明の一態様に係る端末装置は、配下関係にないセルのプロテクティド領域に関する情報および当該セルに関する情報の通知を受信するように制御する領域通知制御部と、前記領域通知制御部により受信された通知の情報に基づいて、前記セルのプロテクティド領域において前記セルの品質を検出するように制御する品質検出制御部と、を備える。
【００１８】
（１１）本発明の一態様は、上記した（１０）に記載の端末装置において、前記セルのプロテクティド領域は、前記セルを包含する別のセルの停波領域に対応する領域である、構成が用いられてもよい。
【００１９】
（１２）本発明の一態様は、上記した（１０）または上記した（１１）に記載の端末装置において、通信の領域として、時間と周波数の一方または両方の領域が用いられる、構成が用いられてもよい。
【００２０】
（１３）本発明の一態様は、上記した（１０）から上記した（１２）のいずれか１つに記載の端末装置において、前記セルに関する情報は、前記セルを識別する情報を含む、構成が用いられてもよい。
【００２１】
（１４）本発明の一態様は、上記した（１０）から上記した（１３）のいずれか１つに記載の端末装置において、前記品質検出制御部は、前記検出された前記セルの品質に関する情報を、前記通知の情報の送信元の装置または他の装置に対して無線により送信して通知するように制御する、構成が用いられてもよい。
【００２２】
（１５）上記の課題を解決するために、本発明の一態様に係る通信システムは、第１の基地局装置が、前記第１の基地局装置のセルの停波領域に関する情報を、配下のセルを形成する第２の基地局装置に対して送信して通知し、前記第２の基地局装置が、前記第１の基地局装置から受信された通知の情報に基づく情報および前記第２の基地局装置のセルに関する情報を第３の基地局装置に対して送信して通知し、前記第３の基地局装置が、前記第２の基地局装置から受信された通知の情報に基づく情報を端末装置に対して無線により送信して通知し、前記端末装置が、前記第３の基地局装置から受信された通知の情報に基づいて、前記第１の基地局装置のセルの停波領域に対応する領域において、前記第２の基地局装置のセルの品質を検出する。
【００２３】
（１６）上記の課題を解決するために、本発明の一態様に係る通信システムは、第１の基地局装置が、前記第１の基地局装置のセルの停波領域に関する情報および配下の第２の基地局装置のセルに関する情報を、配下関係にない他のセルを形成する第３の基地局装置に対して送信して通知し、前記第３の基地局装置が、前記第１の基地局装置から受信された通知の情報に基づく情報を端末装置に対して無線により送信して通知し、前記端末装置が、前記第３の基地局装置から受信された通知の情報に基づいて、前記第１の基地局装置のセルの停波領域に対応する領域において、前記第２の基地局装置のセルの品質を検出する。
【００２４】
（１７）上記の課題を解決するために、本発明の一態様に係る通信方法は、第１の基地局装置が、前記第１の基地局装置のセルの停波領域に関する情報を、配下のセルを形成する第２の基地局装置に対して送信して通知し、前記第２の基地局装置が、前記第１の基地局装置から受信された通知の情報に基づく情報および前記第２の基地局装置のセルに関する情報を第３の基地局装置に対して送信して通知し、前記第３の基地局装置が、前記第２の基地局装置から受信された通知の情報に基づく情報を端末装置に対して無線により送信して通知し、前記端末装置が、前記第３の基地局装置から受信された通知の情報に基づいて、前記第１の基地局装置のセルの停波領域に対応する領域において、前記第２の基地局装置のセルの品質を検出する。
【００２５】
（１８）上記の課題を解決するために、本発明の一態様に係る通信方法は、第１の基地局装置が、前記第１の基地局装置のセルの停波領域に関する情報および配下の第２の基地局装置のセルに関する情報を、配下関係にない他のセルを形成する第３の基地局装置に対して送信して通知し、前記第３の基地局装置が、前記第１の基地局装置から受信された通知の情報に基づく情報を端末装置に対して無線により送信して通知し、前記端末装置が、前記第３の基地局装置から受信された通知の情報に基づいて、前記第１の基地局装置のセルの停波領域に対応する領域において、前記第２の基地局装置のセルの品質を検出する。
【発明の効果】
【００２６】
本発明によれば、セルの品質を精度良く検出することができる。
【図面の簡単な説明】
【００２７】
【図１】本発明の一実施形態（第１実施形態）に係る通信システムの概略的な構成を示すブロック図である。
【図２】本発明の一実施形態に係るマクロセルの基地局装置の概略的な構成を示すブロック図である。
【図３】本発明の一実施形態に係るピコセルの基地局装置の概略的な構成を示すブロック図である。
【図４】本発明の一実施形態に係るＵＥの概略的な構成を示すブロック図である。
【図５】本発明の一実施形態（第１実施形態）に係る通信システムにおいて行われる処理の手順の一例を示す処理フロー図である。
【図６】本発明の一実施形態（第２実施形態）に係る通信システムの概略的な構成を示すブロック図である。
【図７】本発明の一実施形態（第２実施形態）に係る通信システムにおいて行われる処理の手順の一例を示す処理フロー図である。
【図８】ｅＩＣＩＣが適用された通信システムの概略的な構成を示すブロック図である。
【図９】ｅＩＣＩＣが適用された通信システムにおけるセルの電力測定の様子の一例を示す図である。
【発明を実施するための形態】
【００２８】
以下、図面を参照し、本発明の実施形態について説明する。
本実施形態では、説明を簡易化するために、それぞれの基地局装置が１個のセル（Ｃｅｌｌ）を形成するとする。他の構成例として、１個の基地局装置が２個以上のセルを形成する場合には、セルを単位として、それぞれのセルごとに各種の処理を実行する。
【００２９】
［ｅＩＣＩＣの概要］
図８は、ｅＩＣＩＣが適用された通信システムの概略的な構成を示すブロック図である。
図８に示される通信システムは、ＵＥ１００１と、マクロセルを形成する基地局装置１０１１と、ピコセルを形成する基地局装置１０１２と、これらの基地局装置１０１１、１０１２を接続する回線（Ｘ２回線）１０２１を備える。
また、図８には、マクロセルの基地局装置１０１１の通信領域（マクロセルの領域）１１０１と、ピコセルの基地局装置１０１２の通信領域（ピコセルの領域）１１０２を示してある。ピコセルの通信領域１１０２は、マクロセルの通信領域１１０１に含まれている。
図８の例では、ＵＥ１００１は、ピコセルの通信領域１１０２に存在している。
【００３０】
また、図８には、（Ａ）マクロセルにおける電力送信および停波のタイミングの一例を示してある。グラフの横軸は時間の成分を表し、縦軸は周波数の成分を表す。
また、図８には、（Ｂ）ピコセルにおけるプロテクティド（Ｐｒｏｔｅｃｔｅｄ）領域およびノンプロテクティド（Ｎｏｎ−Ｐｒｏｔｅｃｔｅｄ）領域のタイミングの一例を示してある。グラフの横軸は時間の成分を表し、縦軸は周波数の成分を表す。
ここで、マクロセルにおける電力送信のタイミングとピコセルにおけるノンプロテクティド領域のタイミングとが一致または所定の時間（通信に要する遅延時間）がずれて対応しており、マクロセルにおける停波のタイミングとピコセルにおけるプロテクティド領域のタイミングとが一致または所定の時間（通信に要する遅延時間）がずれて対応している。
【００３１】
ｅＩＣＩＣが適用された通信システムでは、マクロセルの基地局装置１０１１は、Ｘ２回線１０２１を介して、ピコセルの基地局装置１０１２に、自セル（マクロセル）の停波領域を特定する情報を送信して通知する。ピコセルの基地局装置１０１２は、無線により、ＵＥ１００１に対して、マクロセルの基地局装置１０１１から通知された情報（マクロセルの停波領域を特定する情報）を送信して通知する。ＵＥ１００１は、ピコセルの基地局装置１０１２から通知された情報（マクロセルの停波領域を特定する情報）に基づいて、マクロセルの電力送信領域に対応するピコセルのノンプロテクティド領域や、マクロセルの停波領域に対応するピコセルのプロテクティド領域において、ピコセルの電力品質を測定する。
ＵＥ１００１は、プロテクティド領域でピコセルからの無線信号を受信する場合にはマクロセルの干渉を受けず、ノンプロテクティド領域でピコセルからの無線信号を受信する場合にはマクロセルの干渉を受ける。
【００３２】
図９は、ｅＩＣＩＣが適用された通信システムにおけるセルの電力測定の様子の一例を示す図である。
図９に示される通信システムは、ＵＥ１００１と、マクロセルを形成する基地局装置１０１１−１および基地局装置１０１１−２と、ピコセルを形成する基地局装置１０１２と、マクロセルの基地局装置１０１１−１とピコセルの基地局装置１０１２とを接続するＸ２回線１０２１と、マクロセルの基地局装置１０１１−２とピコセルの基地局装置１０１２とを接続するＸ２回線１０２２と、マクロセルの基地局装置１０１１−１とマクロセルの基地局装置１０１１−２とを接続するＸ２回線１０２３を備える。
【００３３】
また、図９には、マクロセルの基地局装置１０１１−１の通信領域（マクロセルの領域）１１０１−１と、マクロセルの基地局装置１０１１−２の通信領域（マクロセルの領域）１１０１−２と、ピコセルの基地局装置１０１２の通信領域（ピコセルの領域）１１０２を示してある。ピコセルの通信領域１１０２は、マクロセルの通信領域１１０１−１に含まれている。
図９の例では、ＵＥ１００１は、基地局装置１０１１−２のマクロセルの通信領域１１０１−２に存在している。
ここで、マクロセルの基地局装置１０１１−１およびマクロセルの基地局装置１０１１−２は、それぞれ、図８に示されるマクロセルの基地局装置１０１１と同様なものである。
【００３４】
また、図９には、（Ａ）基地局装置１０１１−１のマクロセルにおける電力送信および停波のタイミングの一例を示してある。グラフの横軸は時間の成分を表し、縦軸は周波数の成分を表す。
また、図９には、（Ｂ）ピコセルにおけるプロテクティド（Ｐｒｏｔｅｃｔｅｄ）領域およびノンプロテクティド（Ｎｏｎ−Ｐｒｏｔｅｃｔｅｄ）領域のタイミングの一例を示してある。グラフの横軸は時間の成分を表し、縦軸は周波数の成分を表す。
また、図９には、（Ｃ）ＵＥ１００１が、自装置が接続していない他のセル（図９の例では、隣接するピコセル）の電力測定を行う領域のタイミングの一例を示してある。グラフの横軸は時間の成分を表し、縦軸は周波数の成分を表す。
【００３５】
図９における（Ｃ）に示されるように、ＵＥ１００１が、自装置（ＵＥ１００１）が接続していない他のセル（図９の例では、隣接するピコセル）の電力測定を行う場合、すべての領域について電力測定を行い、電力品質を測定する。
このため、ＵＥ１００１では、当該他のセル（図９の例では、隣接するピコセル）を包含するマクロセルの電力送信（図９の例では、基地局装置１０１１−１からの電力送信）の干渉により、電力測定の精度が劣化する。
そこで、本実施形態では、セルの品質を精度良く検出することを図る。
【００３６】
［第１実施形態］
図１は、本発明の一実施形態（第１実施形態）に係る通信システムの概略的な構成を示すブロック図である。
本実施形態に係る通信システムは、ＵＥ１と、マクロセルを形成する基地局装置１１−１および基地局装置１１−２と、ピコセルを形成する基地局装置１２と、マクロセルの基地局装置１１−１とピコセルの基地局装置１２とを接続するＸ２回線２１と、マクロセルの基地局装置１１−２とピコセルの基地局装置１２とを接続するＸ２回線２２と、マクロセルの基地局装置１１−１とマクロセルの基地局装置１１−２とを接続するＸ２回線２３を備える。
また、図１には、マクロセルの基地局装置１１−１の通信領域（マクロセルの領域）１０１−１と、マクロセルの基地局装置１１−２の通信領域（マクロセルの領域）１０１−２と、ピコセルの基地局装置１２の通信領域（ピコセルの領域）１０２を示してある。ピコセルの通信領域１０２は、マクロセルの通信領域１０１−１に含まれている。
図１の例では、ＵＥ１は、基地局装置１１−２のマクロセルの通信領域１０１−２に存在している。
【００３７】
また、図１には、（Ａ）基地局装置１１−１のマクロセルにおける電力送信および停波のタイミングの一例を示してある。グラフの横軸は時間の成分を表し、縦軸は周波数の成分を表す。
また、図１には、（Ｂ）ピコセルにおけるプロテクティド（Ｐｒｏｔｅｃｔｅｄ）領域およびノンプロテクティド（Ｎｏｎ−Ｐｒｏｔｅｃｔｅｄ）領域のタイミングの一例を示してある。グラフの横軸は時間の成分を表し、縦軸は周波数の成分を表す。
また、図１には、（Ｃ）ＵＥ１が、自装置が接続していない他のセル（図１の例では、隣接するピコセル）の電力測定を行う領域のタイミングの一例を示してある。グラフの横軸は時間の成分を表し、縦軸は周波数の成分を表す。
【００３８】
ここで、停波としては、例えば、電力送信を行わないときの電波状態のことをいうが、例えば、送信される電力がゼロになる場合ばかりでなく、通常の状態と比べて電波が低減されるが、一部の必要な信号の電波（例えば、制御信号の電波）が残る状態が用いられてもよい。
【００３９】
本実施形態に係る通信システムでは、ＵＥ１に対して、当該ＵＥ１が接続していない他のセル（図１の例では、隣接するピコセル）のプロテクティド領域のタイミングを通知する。これにより、図１における（Ｃ）に示されるように、ＵＥ１は、自装置（ＵＥ１）が接続していない他のセル（図１の例では、隣接するピコセル）の電力測定を行う場合に、当該他のセルのプロテクティド領域について電力測定を行い、電力品質を測定する。なお、ＵＥ１は、当該他のセルのノンプロテクティド領域についても電力測定を行ってもよい。
【００４０】
図２は、本発明の一実施形態に係るマクロセルの基地局装置１１（基地局装置１１−１〜１１−２）の概略的な構成を示すブロック図である。ここで、本実施形態では、２個のマクロセルの基地局装置１１−１〜１１−２および無線の通信領域１０１−１〜１０１−２は、同様な構成を有するため、これらをまとめて説明するときには、マクロセルの基地局装置１１およびその無線の通信領域１０１として説明する。
本実施形態に係るマクロセルの基地局装置１１は、通信部２１１と、記憶部２１２と、制御部２１３を備える。
制御部２１３は、通信制御部２３１と、領域通知制御部２３２を備える。
【００４１】
通信部２１１は、外部の装置との間で無線や有線で通信する。本実施形態では、通信部２１１は、通信領域１０１に存在するＵＥ１との間で、無線により信号を送受信（送信や受信）する。また、通信部２１１は、有線（または、無線）により、他の基地局装置など（本実施形態では、自装置以外のマクロセルの基地局装置や、ピコセルの基地局装置１２など）との間で、信号を送受信する。例えば、異なる基地局装置１１−１〜１１−２、１２の間は、有線の回線（Ｘ２回線２１〜２３）で接続される。
記憶部２１２は、メモリを用いて構成されており、各種のデータを記憶する。具体例として、記憶部２１２は、制御部２１３により使用されるプログラムのデータや、各種のパラメータのデータや、停波領域（および電力送信領域）やプロテクティド領域（およびノンプロテクティド領域）に関するデータなどを記憶する。
【００４２】
制御部２１３は、所定のプログラムを実行することで、各種の処理や制御を行う。
通信制御部２３１は、通信に関する制御を行う。通信制御部２３１は、例えば、電力送信領域のタイミングで電力送信を行い、停波領域のタイミングで停波を行うように制御する。
領域通知制御部２３２は、停波領域やプロテクティド領域の通知に関する制御を行う。領域通知制御部２３２は、例えば、他の装置（例えば、ＵＥ１や、自装置以外のマクロセルの基地局装置や、ピコセルの基地局装置のうちの所定の装置）に対して、自装置の停波領域を通知するように制御する。また、領域通知制御部２３２は、例えば、他の装置（例えば、ＵＥ１や、自装置以外のマクロセルの基地局装置や、ピコセルの基地局装置のうちの所定の装置）から、他の基地局装置の停波領域やプロテクティド領域の通知を受信するように制御し、受信した他の基地局装置の停波領域やプロテクティド領域に関する情報を記憶部２１２に記憶するように制御する。また、領域通知制御部２３２は、例えば、他の装置（例えば、ＵＥ１や、自装置以外のマクロセルの基地局装置や、ピコセルの基地局装置のうちの所定の装置）に対して、他の基地局装置の停波領域やプロテクティド領域を通知するように制御する。
また、領域通知制御部２３２は、セルの停波領域やプロテクティド領域に関する通知の情報に、当該セルの識別情報（ＩＤ）を含める。
【００４３】
図３は、本発明の一実施形態に係るピコセルの基地局装置１２の概略的な構成を示すブロック図である。
本実施形態に係るピコセルの基地局装置１２は、通信部３１１と、記憶部３１２と、制御部３１３を備える。
制御部３１３は、通信制御部３３１と、領域通知制御部３３２を備える。
【００４４】
通信部３１１は、外部の装置との間で無線や有線で通信する。本実施形態では、通信部３１１は、通信領域１０２に存在するＵＥ１との間で、無線により信号を送受信（送信や受信）する。また、通信部３１１は、有線（または、無線）により、他の基地局装置など（本実施形態では、マクロセルの基地局装置１１−１〜１１−２や、自装置以外のピコセルの基地局装置など）との間で、信号を送受信する。
記憶部３１２は、メモリを用いて構成されており、各種のデータを記憶する。具体例として、記憶部３１２は、制御部３１３により使用されるプログラムのデータや、各種のパラメータのデータや、停波領域（および電力送信領域）やプロテクティド領域（およびノンプロテクティド領域）に関するデータなどを記憶する。
【００４５】
制御部３１３は、所定のプログラムを実行することで、各種の処理や制御を行う。
通信制御部３３１は、通信に関する制御を行う。
領域通知制御部３３２は、停波領域やプロテクティド領域の通知に関する制御を行う。領域通知制御部３３２は、例えば、他の装置（例えば、ＵＥ１や、マクロセルの基地局装置や、自装置以外のピコセルの基地局装置のうちの所定の装置）から、他の基地局装置の停波領域やプロテクティド領域の通知を受信するように制御し、受信した他の基地局装置の停波領域やプロテクティド領域に関する情報を記憶部３１２に記憶するように制御する。また、領域通知制御部３３２は、例えば、他の装置（例えば、ＵＥ１や、マクロセルの基地局装置や、自装置以外のピコセルの基地局装置のうちの所定の装置）に対して、自装置のプロテクティド領域や、他の基地局装置の停波領域やプロテクティド領域を通知するように制御する。
また、領域通知制御部３３２は、セルの停波領域やプロテクティド領域に関する通知の情報に、当該セルの識別情報（ＩＤ）を含める。
【００４６】
図４は、本発明の一実施形態に係るＵＥ１の概略的な構成を示すブロック図である。
本実施形態に係るＵＥ１は、通信部４１１と、記憶部４１２と、制御部４１３を備える。
制御部４１３は、領域通知制御部４３１と、品質検出制御部４３２を備える。
【００４７】
通信部４１１は、外部の装置との間で無線で通信する。本実施形態では、通信部４１１は、自装置（ＵＥ１）が存在する通信領域１０１−１〜１０１−２、１０２を形成する基地局装置１１−１〜１１−２、１２との間で、無線により信号を送受信（送信や受信）する。
記憶部４１２は、メモリを用いて構成されており、各種のデータを記憶する。具体例として、記憶部４１２は、制御部４１３により使用されるプログラムのデータや、各種のパラメータのデータや、停波領域（および電力送信領域）やプロテクティド領域（およびノンプロテクティド領域）に関するデータなどを記憶する。
【００４８】
制御部４１３は、所定のプログラムを実行することで、各種の処理や制御を行う。
領域通知制御部４３１は、停波領域やプロテクティド領域の通知に関する制御を行う。領域通知制御部４３１は、例えば、他の装置（例えば、マクロセルの基地局装置や、ピコセルの基地局装置のうちの所定の装置）から、所定の基地局装置の停波領域やプロテクティド領域の通知を受信するように制御し、受信した基地局装置の停波領域やプロテクティド領域に関する情報を記憶部４１２に記憶するように制御する。また、領域通知制御部４３１は、例えば、他の装置（例えば、マクロセルの基地局装置や、ピコセルの基地局装置のうちの所定の装置）に対して、所定の基地局装置の停波領域やプロテクティド領域を通知するように制御する、構成とされてもよい。
また、領域通知制御部４３１は、セルの停波領域やプロテクティド領域に関する通知の情報に、当該セルの識別情報（ＩＤ）を含める。
品質検出制御部４３２は、所定の領域のタイミングで、所定のセルの品質を検出するように制御する。所定の領域としては、例えば、検出対象となるセルのプロテクティド領域（干渉源の停波領域）が用いられ、また、他の例として、検出対象となるセルのノンプロテクティド領域（干渉源の電力送信領域）や、すべての領域が用いられてもよい。
また、品質検出制御部４３２は、例えば、セルの品質の検出結果に関する情報を、停波領域やプロテクティド領域の通知の送信元の装置（例えば、マクロセルの基地局装置や、ピコセルの基地局装置のうちの所定の装置）や他の所定の装置に通知するように制御する、構成が用いられてもよい。
【００４９】
＜処理のシーケンスの例＞
図５は、本発明の一実施形態（第１実施形態）に係る通信システムにおいて行われる処理の手順の一例を示す処理フロー図である。
図５には、ＵＥ１と、マクロセルの基地局装置１１−１（図５において、第１マクロセル装置と示す。）と、ピコセルの基地局装置１２（図５において、ピコセル装置と示す。）と、マクロセルの基地局装置１１−２（図５において、第２マクロセル装置と示す。）について、処理の手順の一例を示す。なお、通信システムは図１に示されるものを例とし、ＵＥ１はマクロセルの基地局装置１１−２の通信領域１０１−２に存在する。
本実施形態では、ピコセルが他のセルに対して電力測定領域を通知する場合における処理の手順の一例として、図５に示される処理Ｔ１〜処理Ｔ５に対応する（手順Ｔ１）〜（手順Ｔ５）を示す。
【００５０】
（手順Ｔ１）
マクロセルの基地局装置１１−１は、当該マクロセルの停波領域を特定する情報を、Ｘ２回線２１を介して、オーバーレイ設置されたピコセルの基地局装置１２に送信して通知する。
【００５１】
（手順Ｔ２）
ピコセルの基地局装置１２は、当該ピコセルのプロテクティド領域およびノンプロテクティド領域を特定する情報と、当該ピコセルのＩＤ（セルのＩＤ）の情報を、Ｘ２回線を介して、当該ピコセルの周辺のセル（他の例として、周辺以外のセルでもよい。）の基地局装置に送信して通知する。図１の例では、ピコセルの基地局装置１２は、これらの情報を、Ｘ２回線２２を介して、周辺のセルであるマクロセルの基地局装置１１−２に送信して通知する。
【００５２】
ここで、あるセルの周辺のセル（隣接のセル）としては、例えば、当該セルのネイバーリレーションテーブル（ＮＲＴ：Ｎｅｉｇｈｂｏｒ  Ｒｅｌａｔｉｏｎ  Ｔａｂｌｅ）に登録されたセルが用いられる。互いに隣接する基地局装置では、互いに相手の基地局装置の情報をＮＲＴに登録し、Ｘ２回線を通じて、負荷情報などのやり取りを行う。
【００５３】
（手順Ｔ３）
ピコセルの基地局装置１２から当該ピコセルのプロテクティド領域およびノンプロテクティド領域を特定する情報を受信したマクロセルの基地局装置１１−２は、自装置の配下（基地局装置１１−２のマクロセルの通信領域１０１−２）に存在するＵＥ１に対して、ｅＩＣＩＣが適用されたセル（ここでは、基地局装置１２のピコセル）について、セルのＩＤの情報とともに、プロテクティド領域およびノンプロテクティド領域を特定する情報を無線により送信して通知する。
【００５４】
ここで、このような通知は、例えば、ｅＩＣＩＣが適用されたすべてのセルについて行われてもよく、または、ｅＩＣＩＣが適用されたセルのうちで一部のセルについて行われてもよい。この一部のセルとしては、例えば、ＵＥ１のハンドオーバ先となる可能性が高いと予測されるセルが用いられ、例えば、過去のハンドオーバの回数が高いセル（例えば、ＵＥ１のハンドオーバ先となった回数が所定の閾値以上であるセル）が用いられてもよい。通知の対象をすべてのセルではなく一部のセルとすることにより、通知する情報の量を少なくすることができる。
【００５５】
（手順Ｔ４）
ＵＥ１は、基地局装置１１−２のマクロセルの通信領域１０１−２に存在しており、他の基地局装置１２のピコセルの通信領域１０２には存在しないが、当該ピコセルの信号（電力送信の信号）を受信することが可能である。ＵＥ１は、例えば、所望のセル（ここでは、ピコセルであり、マクロセルも同様）のＩＤが含まれる信号のみを受信処理することで、当該信号を受信することができ、当該信号のレベルなどを測定することが可能である。
【００５６】
（手順Ｔ５）
ＵＥ１は、（手順３）に係る通知を受信すると、ｅＩＣＩＣが適用されたセル（ここでは、基地局装置１２のピコセル）について、プロテクティド領域とノンプロテクティド領域を区別して、当該セルからの無線信号（電力送信）の受信レベル（受信電力）に基づいて、所定の数式の算出などにより、電力品質を測定（検出）する。
そして、ＵＥ１は、当該セルについて、プロテクティド領域について測定された電力品質を採用して用いて、ハンドオーバなどに関する各種の判定を実行する。
【００５７】
例えば、ＵＥ１は、電力品質の測定結果に関する情報や、電力品質の測定結果に基づいて得られたハンドオーバなどに関する各種の判定の結果に関する情報を、前記した周辺のセル（ここでは、基地局装置１１−２のマクロセル）などに対して送信して通知する構成が用いられてもよい。
【００５８】
ここで、図５の例では、ＵＥ１は、電力品質の検出の対象となるセルに関し、プロテクティド領域とノンプロテクティド領域の両方の領域のそれぞれで、電力品質を検出するが、他の構成例として、プロテクティド領域とノンプロテクティド領域のうちのプロテクティド領域のみについて、電力品質を検出する構成が用いられてもよい。
また、電力品質としては、例えば、受信される信号の電力の大きさ（レベル）などを指標とする品質が用いられる。
【００５９】
なお、他の構成例として、ピコセルの基地局装置１２は、マクロセルの基地局装置１１−１から受信した当該マクロセルの電力送信領域や停波領域を特定する情報と、当該マクロセルのＩＤ（セルのＩＤ）の情報を、Ｘ２回線を介して、当該ピコセルの周辺のセル（他の例として、周辺以外のセルでもよい。）の基地局装置に送信して通知し、これらの情報を、この周辺のセルからＵＥ１に通知することが行われてもよい。そして、例えば、ＵＥ１が、マクロセルの基地局装置１１−１の当該マクロセルについて、電力送信領域（ノンプロテクティド領域に対応する領域）と停波領域（プロテクティド領域に対応する領域）を区別して、電力品質を測定（検出）することが行われてもよい。ＵＥ１は、例えば、当該マクロセルに関し、当該マクロセルの電力送信領域について測定された電力品質を用いて、ハンドオーバなどに関する各種の判定を実行してもよい。
【００６０】
ここで、図１の例では、図１における（Ａ）、（Ｂ）、（Ｃ）に示されるように、時間の方向と周波数の方向のうちの時間の方向について、電力送信領域（ノンプロテクティド領域）と停波領域（プロテクティド領域）を区別する構成を示したが、他の構成例として、これらの領域を、時間の方向と周波数の方向のうちの周波数の方向について区別する構成が用いられてもよく、または、時間の方向と周波数の方向の両方について区別する構成が用いられてもよい。このような他の構成例においても、電力送信領域（ノンプロテクティド領域）や停波領域（プロテクティド領域）を特定する情報に基づいて、これらの領域を単位として、電力品質の測定（検出）などが行われる。
また、電力送信領域（ノンプロテクティド領域）や停波領域（プロテクティド領域）の１個の領域が、時間の方向に幅（例えば、複数のシンボル分の時間の幅）を有する場合には、例えば、時間の方向で平均化された電力品質が用いられてもよい。また、１個の領域が、周波数の方向に幅（例えば、複数の異なる周波数帯の幅）を有する場合には、例えば、周波数の方向で平均化された電力品質が用いられてもよい。なお、平均化の処理の代わりに、外挿の処理や、内挿の処理が用いられてもよい。
また、本実施形態では、マクロセルとピコセルを例としたが、他の構成例として、ピコセルの代わりにスモールセルが用いられる構成など、様々なセルが用いられてもよい。
【００６１】
＜第１実施形態のまとめ＞
以上のように、本実施形態に係る通信システムでは、ｅＩＣＩＣが適用されたセルのプロテクティド領域（停波領域に対応する領域）とノンプロテクティド領域（電力送信領域に対応する領域）に関する情報を基地局装置の間でＸ２回線を介して交換し、当該情報を受信した基地局装置は当該情報を自装置に接続する配下のＵＥに通知する。本実施形態に係る通信システムでは、例えば、あるセルに接続するＵＥが、ｅＩＣＩＣを適用している他のセルの電力品質を測定するときに、当該他のセルについて指示される測定のパターン（Ｍｅａｓｕｒｅｍｅｎｔ  Ｐａｔｔｅｒｎ）に合わせて電力測定する時間／周波数の領域（時間と周波数との一方または両方の領域）を限定することで、正確な電力品質の測定を可能とする。
【００６２】
一例として、本実施形態に係る通信システムでは、ｅＩＣＩＣが適用されたピコセルが、プロテクティド領域とノンプロテクティド領域に関する情報を周辺のセル（例えば、ピコセルのＮＲＴで管理されているセル）に通知する。この通知を受けたセルが、前記したピコセルのセルのＩＤとプロテクティド領域とノンプロテクティド領域に関する情報を、配下のＵＥに通知する。この通知を受けたＵＥが、前記したピコセルの電力品質を、当該ピコセルのプロテクティド領域とノンプロテクティド領域とで区別して測定する。このＵＥは、この測定の結果を、前記した周辺のセルに通知する。
【００６３】
以上のように、本実施形態に係る通信システムでは、ＵＥは、自装置が接続するセル以外のｅＩＣＩＣが適用されたセル（他のセル）について、電力品質を正確に測定することが可能である。これにより、本実施形態に係る通信システムでは、例えば、ＵＥは、ｅＩＣＩＣが適用されたセルに適切なタイミングでハンドオーバすることができ、ユーザ（ＵＥ）のスループットを向上させることができる。
このように、本実施形態に係る通信システムでは、セルの品質を精度良く検出することができる。
【００６４】
［第２実施形態］
以下では、各装置等の符号として、図１〜図５に示されるものと同じ符号を付して説明する。
以下では、第１実施形態とは異なる点について詳しく説明し、第１実施形態と同様な点については説明を省略ないし簡略化する。
図６は、本発明の一実施形態（第２実施形態）に係る通信システムの概略的な構成を示すブロック図である。
本実施形態に係る通信システムの概略的な構成は、第１実施形態の場合と同様である。
また、図６における（Ａ）、（Ｂ）、（Ｃ）で示されるタイミングの例は、図１における（Ａ）、（Ｂ）、（Ｃ）で示されるタイミングの例と同様である。
【００６５】
マクロセルの基地局装置１１（基地局装置１１−１〜１１−２）の概略的な構成は、第１実施形態に係る図２に示されるものと同様である。
ピコセルの基地局装置１２の概略的な構成は、第１実施形態に係る図３に示されるものと同様である。
ＵＥ１の概略的な構成は、第１実施形態に係る図４に示されるものと同様である。
【００６６】
＜処理のシーケンスの例＞
図７は、本発明の一実施形態（第２実施形態）に係る通信システムにおいて行われる処理の手順の一例を示す処理フロー図である。
図７には、ＵＥ１と、マクロセルの基地局装置１１−１（図７において、第１マクロセル装置と示す。）と、ピコセルの基地局装置１２（図７において、ピコセル装置と示す。）と、マクロセルの基地局装置１１−２（図７において、第２マクロセル装置と示す。）について、処理の手順の一例を示す。なお、通信システムは図６に示されるものを例とし、ＵＥ１はマクロセルの基地局装置１１−２の通信領域１０１−２に存在する。
本実施形態では、マクロセルが他のセルに対して自セル（当該マクロセル）の停波領域および自セルの配下のピコセルに関する情報を通知する場合における処理の手順の一例として、図７に示される処理Ｔ１１〜処理Ｔ１４に対応する（手順Ｔ１１）〜（手順Ｔ１４）を示す。
【００６７】
（手順Ｔ１１）
マクロセルの基地局装置１１−１は、当該マクロセルの停波領域を特定する情報と、当該マクロセルの配下のピコセル（ここでは、基地局装置１２のピコセル）のＩＤ（セルのＩＤ）の情報を、Ｘ２回線を介して、周辺のセル（他の例として、周辺以外のセルでもよい。）の基地局装置に送信して通知する。図６の例では、マクロセルの基地局装置１１−１は、これらの情報を、Ｘ２回線２３を介して、周辺のセルであるマクロセルの基地局装置１１−２に送信して通知する。
ここで、あるセルの周辺のセル（隣接のセル）としては、例えば、当該セルのネイバーリレーションテーブル（ＮＲＴ）に登録されたセルが用いられる。これについては、第１実施形態と同様である。
【００６８】
（手順Ｔ１２）
マクロセルの基地局装置１１−１から当該マクロセルの停波領域を特定する情報および当該マクロセルの配下のピコセルのＩＤの情報を受信したマクロセルの基地局装置１１−２は、マクロセルの基地局装置１１−１の配下のピコセルのプロテクティド領域およびノンプロテクティド領域を検出（推定）する。例えば、マクロセルの基地局装置１１−２は、マクロセルの基地局装置１１−１の配下のピコセルのプロテクティド領域およびノンプロテクティド領域は、マクロセルの基地局装置１１−１の停波領域および電力送信領域と同じ領域であると検出する。そして、マクロセルの基地局装置１１−２は、自装置の配下（基地局装置１１−２のマクロセルの通信領域１０１−２）に存在するＵＥ１に対して、ｅＩＣＩＣが適用されたセル（ここでは、基地局装置１２のピコセル）について、セルのＩＤの情報とともに、プロテクティド領域およびノンプロテクティド領域を特定する情報を無線により送信して通知する。
ここで、このような通知は、例えば、ｅＩＣＩＣが適用されたすべてのセルについて行われてもよく、または、ｅＩＣＩＣが適用されたセルのうちで一部のセルについて行われてもよい。これについては、第１実施形態と同様である。
【００６９】
（手順Ｔ１３）
ＵＥ１は、基地局装置１１−２のマクロセルの通信領域１０１−２に存在しており、他の基地局装置１２のピコセルの通信領域１０２には存在しないが、当該ピコセルの信号（電力送信の信号）を受信することが可能である。ＵＥ１は、例えば、所望のセル（ここでは、ピコセルであり、マクロセルも同様）のＩＤが含まれる信号のみを受信処理することで、当該信号を受信することができ、当該信号のレベルなどを測定することが可能である。
【００７０】
（手順Ｔ１４）
ＵＥ１は、（手順１２）に係る通知を受信すると、ｅＩＣＩＣが適用されたセル（ここでは、基地局装置１２のピコセル）について、プロテクティド領域とノンプロテクティド領域を区別して、当該セルからの無線信号（電力送信）の受信レベル（受信電力）に基づいて、所定の数式の算出などにより、電力品質を測定（検出）する。
そして、ＵＥ１は、当該セルについて、プロテクティド領域について測定された電力品質を採用して用いて、ハンドオーバなどに関する各種の判定を実行する。
【００７１】
例えば、ＵＥ１は、電力品質の測定結果に関する情報や、電力品質の測定結果に基づいて得られたハンドオーバなどに関する各種の判定の結果に関する情報を、前記した周辺のセル（ここでは、基地局装置１１−２のマクロセル）などに対して送信して通知する構成が用いられてもよい。
【００７２】
ここで、図５の例では、ＵＥ１は、電力品質の検出の対象となるセルに関し、プロテクティド領域とノンプロテクティド領域の両方の領域のそれぞれで、電力品質を検出するが、他の構成例として、プロテクティド領域とノンプロテクティド領域のうちのプロテクティド領域のみについて、電力品質を検出する構成が用いられてもよい。
また、電力品質としては、例えば、受信される信号の電力の大きさ（レベル）などを指標とする品質が用いられる。
【００７３】
なお、他の構成例として、マクロセルの基地局装置１１−２は、マクロセルの基地局装置１１−１から受信した当該マクロセルの電力送信領域や停波領域を特定する情報と、当該マクロセルのＩＤ（セルのＩＤ）の情報を、配下のＵＥ１に通知することが行われてもよい。そして、例えば、ＵＥ１が、マクロセルの基地局装置１１−１の当該マクロセルについて、電力送信領域（ノンプロテクティド領域に対応する領域）と停波領域（プロテクティド領域に対応する領域）を区別して、電力品質を測定（検出）することが行われてもよい。ＵＥ１は、例えば、当該マクロセルに関し、当該マクロセルの電力送信領域について測定された電力品質を用いて、ハンドオーバなどに関する各種の判定を実行してもよい。
【００７４】
ここで、図６の例では、図６における（Ａ）、（Ｂ）、（Ｃ）に示されるように、時間の方向と周波数の方向のうちの時間の方向について、電力送信領域（ノンプロテクティド領域）と停波領域（プロテクティド領域）を区別する構成を示したが、他の構成例として、これらの領域を、時間の方向と周波数の方向のうちの周波数の方向について区別する構成が用いられてもよく、または、時間の方向と周波数の方向の両方について区別する構成が用いられてもよい。これについては、第１実施形態と同様である。
また、本実施形態では、マクロセルとピコセルを例としたが、他の構成例として、ピコセルの代わりにスモールセルが用いられる構成など、様々なセルが用いられてもよい。
【００７５】
＜第２実施形態のまとめ＞
以上のように、本実施形態に係る通信システムでは、ｅＩＣＩＣが適用されたセルのプロテクティド領域（停波領域に対応する領域）とノンプロテクティド領域（電力送信領域に対応する領域）に関する情報を基地局装置の間でＸ２回線を介して交換し、当該情報を受信した基地局装置は当該情報を自装置に接続する配下のＵＥに通知する。本実施形態に係る通信システムでは、例えば、あるセルに接続するＵＥが、ｅＩＣＩＣを適用している他のセルの電力品質を測定するときに、当該他のセルについて指示される測定のパターン（Ｍｅａｓｕｒｅｍｅｎｔ  Ｐａｔｔｅｒｎ）に合わせて電力測定する時間／周波数の領域（時間と周波数との一方または両方の領域）を限定することで、正確な電力品質の測定を可能とする。
【００７６】
一例として、本実施形態に係る通信システムでは、ｅＩＣＩＣが適用されたマクロセルが、停波領域に関する情報（プロテクティド領域やノンプロテクティド領域に関する情報）や配下のセル（例えば、ピコセル）のＩＤの情報を周辺のセル（例えば、マクロセルのＮＲＴで管理されているセル）に通知する。この通知を受けたセルが、前記したマクロセルの配下のセル（例えば、ピコセル）のＩＤとプロテクティド領域とノンプロテクティド領域に関する情報を、配下のＵＥに通知する。この通知を受けたＵＥが、前記したセル（例えば、ピコセル）の電力品質を、当該セルのプロテクティド領域とノンプロテクティド領域とで区別して測定する。このＵＥは、この測定の結果を、前記した周辺のセルに通知する。
【００７７】
以上のように、本実施形態に係る通信システムでは、ＵＥは、自装置が接続するセル以外のｅＩＣＩＣが適用されたセル（他のセル）について、電力品質を正確に測定することが可能である。これにより、本実施形態に係る通信システムでは、例えば、ＵＥは、ｅＩＣＩＣが適用されたセルに適切なタイミングでハンドオーバすることができ、ユーザ（ＵＥ）のスループットを向上させることができる。
このように、本実施形態に係る通信システムでは、セルの品質を精度良く検出することができる。
【００７８】
［以上の実施形態に係る構成例］
一構成例として、基地局装置（例えば、第１実施形態に係る図１の例におけるピコセルの基地局装置１２）において、他のセル（図１の例では、マクロセルの基地局装置１１−１のセル）の停波領域に関する情報の通知を受信し、当該受信された通知の情報に基づく情報および自己（図１の例では、ピコセルの基地局装置１２）のセルに関する情報を、前記他のセルとは別のセルを形成する他の基地局装置（図１の例では、マクロセルの基地局装置１１−２）に対して送信して通知するように制御する領域通知制御部（図３の例では、領域通知制御部３３２）を備える。
一構成例として、基地局装置において、前記受信された通知の情報に基づく情報は、プロテクティド領域の情報を含む。この情報により、プロテクティド領域以外の領域（ノンプロテクティド領域）も把握することが可能である。
一構成例として、基地局装置において、前記別のセルは、ネイバーリレーションテーブル（ＮＲＴ）に記憶されたセルである。
【００７９】
一構成例として、基地局装置（例えば、第２実施形態に係る図６の例におけるマクロセルの基地局装置１１−１）において、自己のセルにおける停波領域で停波して通信を行うように制御する通信制御部（図２の例では、通信制御部２３１）と、前記停波領域に関する情報および配下のセル（図６の例では、ピコセルの基地局装置１２のセル）に関する情報を、配下関係にない他のセルを形成する他の基地局装置（図２の例では、マクロセルの基地局装置１１−２）に対して送信して通知するように制御する領域通知制御部（図２の例では、領域通知制御部２３２）と、を備える。
一構成例として、基地局装置において、前記他のセルは、ネイバーリレーションテーブル（ＮＲＴ）に記憶されたセルである。
【００８０】
一構成例として、基地局装置（例えば、第１実施形態に係る図１や第２実施形態に係る図６の例におけるマクロセルの基地局装置１１−２）において、配下関係にない他のセル（図１や図６の例では、ピコセルの基地局装置１２のセル）を包含する別のセル（図１や図６の例では、マクロセルの基地局装置１１−１のセル）の停波領域に関する情報および前記他のセルに関する情報を端末装置（図１や図６の例では、ＵＥ１）に対して無線により送信して通知するように制御する領域通知制御部（図２の例では、領域通知制御部２３２）を備える。
一構成例として、基地局装置において、前記別のセルの停波領域に関する情報は、前記他のセルのプロテクティド領域に関する情報を含む。この情報により、プロテクティド領域以外の領域（ノンプロテクティド領域）も把握することが可能である。
【００８１】
一構成例として、基地局装置において、通信の領域として、時間と周波数の一方または両方の領域が用いられる。
一構成例として、基地局装置において、前記セルに関する情報は、前記セルを識別する情報（例えば、セルのＩＤ）を含む。
【００８２】
一構成例として、端末装置（例えば、第１実施形態に係る図１や第２実施形態に係る図６の例におけるＵＥ１）は、配下関係にないセル（図１や図６の例では、ピコセルの基地局装置１２のセル）のプロテクティド領域に関する情報および当該セルに関する情報の通知を受信するように制御する領域通知制御部（図４の例では、領域通知制御部４３１）と、前記領域通知制御部により受信された通知の情報に基づいて、前記セルのプロテクティド領域において前記セルの品質を検出するように制御する品質検出制御部（図４の例では、品質検出制御部４３２）と、を備える。
一構成例として、端末装置において、前記セルのプロテクティド領域は、前記セルを包含する別のセル（図１や図６の例では、マクロセルの基地局装置１１−１のセル）の停波領域に対応する領域である。
一構成例として、端末装置において、通信の領域として、時間と周波数の一方または両方の領域が用いられる。
一構成例として、端末装置において、前記セルに関する情報は、前記セルを識別する情報（例えば、セルのＩＤ）を含む。
一構成例として、端末装置において、前記品質検出制御部は、前記検出された前記セルの品質に関する情報を、前記通知の情報の送信元の装置（図１や図６の例では、マクロセルの基地局装置１１−２）または他の装置に対して無線により送信して通知するように制御する。
【００８３】
一構成例として、通信システム（例えば、第１実施形態に係る図１の例における通信システム）において、第１の基地局装置（図１の例では、マクロセルの基地局装置１１−１）が、前記第１の基地局装置のセルの停波領域に関する情報を、配下のセルを形成する第２の基地局装置（図１の例では、ピコセルの基地局装置１２）に対して送信して通知し、前記第２の基地局装置が、前記第１の基地局装置から受信された通知の情報に基づく情報および前記第２の基地局装置のセルに関する情報を第３の基地局装置（図１の例では、マクロセルの基地局装置１１−２）に対して送信して通知し、前記第３の基地局装置が、前記第２の基地局装置から受信された通知の情報に基づく情報を端末装置（図１の例では、ＵＥ１）に対して無線により送信して通知し、前記端末装置が、前記第３の基地局装置から受信された通知の情報に基づいて、前記第１の基地局装置のセルの停波領域に対応する領域において、前記第２の基地局装置のセルの品質を検出する。
【００８４】
一構成例として、通信システム（例えば、第２実施形態に係る図６の例における通信システム）において、第１の基地局装置（図６の例では、マクロセルの基地局装置１１−１）が、前記第１の基地局装置のセルの停波領域に関する情報および配下の第２の基地局装置（図６の例では、ピコセルの基地局装置１２）のセルに関する情報を、配下関係にない他のセルを形成する第３の基地局装置（図６の例では、マクロセルの基地局装置１１−２）に対して送信して通知し、前記第３の基地局装置が、前記第１の基地局装置から受信された通知の情報に基づく情報を端末装置（図６の例では、ＵＥ１）に対して無線により送信して通知し、前記端末装置が、前記第３の基地局装置から受信された通知の情報に基づいて、前記第１の基地局装置のセルの停波領域に対応する領域において、前記第２の基地局装置のセルの品質を検出する。
【００８５】
一構成例として、通信方法（例えば、第１実施形態に係る図１の例における通信システムにおいて行われる通信の方法）において、第１の基地局装置（図１の例では、マクロセルの基地局装置１１−１）が、前記第１の基地局装置のセルの停波領域に関する情報を、配下のセルを形成する第２の基地局装置（図１の例では、ピコセルの基地局装置１２）に対して送信して通知し、前記第２の基地局装置が、前記第１の基地局装置から受信された通知の情報に基づく情報および前記第２の基地局装置のセルに関する情報を第３の基地局装置（図１の例では、マクロセルの基地局装置１１−２）に対して送信して通知し、前記第３の基地局装置が、前記第２の基地局装置から受信された通知の情報に基づく情報を端末装置（図１の例では、ＵＥ１）に対して無線により送信して通知し、前記端末装置が、前記第３の基地局装置から受信された通知の情報に基づいて、前記第１の基地局装置のセルの停波領域に対応する領域において、前記第２の基地局装置のセルの品質を検出する。
【００８６】
一構成例として、通信方法（例えば、第２実施形態に係る図６の例における通信システムにおいて行われる通信の方法）において、第１の基地局装置（図６の例では、マクロセルの基地局装置１１−１）が、前記第１の基地局装置のセルの停波領域に関する情報および配下の第２の基地局装置（図６の例では、ピコセルの基地局装置１２）のセルに関する情報を、配下関係にない他のセルを形成する第３の基地局装置（図６の例では、マクロセルの基地局装置１１−２）に対して送信して通知し、前記第３の基地局装置が、前記第１の基地局装置から受信された通知の情報に基づく情報を端末装置（図６の例では、ＵＥ１）に対して無線により送信して通知し、前記端末装置が、前記第３の基地局装置から受信された通知の情報に基づいて、前記第１の基地局装置のセルの停波領域に対応する領域において、前記第２の基地局装置のセルの品質を検出する。
【００８７】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００８８】
また、以上に示した実施形態に係る各装置（例えば、ＵＥ１、基地局装置１１−１〜１１−２、１２など）の機能を実現するためのプログラムをコンピュータ読み取り可能な記録媒体に記録して、この記録媒体に記録されたプログラムをコンピュータシステムに読み込ませ、実行することにより、処理を行ってもよい。
【００８９】
なお、ここでいう「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
【００９０】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【００９１】
１、１００１…ＵＥ、１１−１〜１１−２、１０１１、１０１１−１〜１０１１−２…マクロセルの基地局装置、１２、１０１２…ピコセルの基地局装置、２１〜２３、１０２１〜１０２３…Ｘ２回線、１０１−１〜１０１−２、１０２、１１０１〜１１０２、１１０１−１〜１１０１−２…通信領域、２１１、３１１、４１１…通信部、２１２、３１２、４１２…記憶部、２１３、３１３、４１３…制御部、２３１、３３１…通信制御部、２３２、３３２、４３１…領域通知制御部、４３２…品質検出制御部
【図１】
2015179962.tif 000003
【図２】
2015179962.tif 000004
【図３】
2015179962.tif 000005
【図４】
2015179962.tif 000006
【図５】
2015179962.tif 000007
【図６】
2015179962.tif 000008
【図７】
2015179962.tif 000009
【図８】
2015179962.tif 000010
【図９】
2015179962.tif 000011